(57)【要約】  本発明は、マイクロカプセルの新規な製造方法に関する。前記方法により得ることができるマイクロカプセルも、本発明の対象である。前記カプセルを含む付香組成物および消費者製品、特にホームケア製品またはパーソナルケア製品の形態である付香された消費者製品も、本発明の一部である。【特許請求の範囲】
【請求項１】
ポリ尿素系コアシェル型マイクロカプセルスラリーの製造方法であって、
１）疎水性活性成分を、少なくとも３つのイソシアネート官能基を有する少なくとも１種のポリイソシアネートと混合して油相を形成する工程、ただし、前記油相は、ジイソシアネートを実質的に含有しないことを条件とする、と、
２）イオン性または非イオン性乳化剤を水に溶解させて、水相を形成する工程であって、前記イオン性乳化剤は、アラビアガム、カルボキシメチルセルロース、ダイズタンパク質、カゼインナトリウム、ゼラチン、ウシ血清アルブミン、テンサイペクチン、加水分解ダイズタンパク質、加水分解セリシン、疑似コラーゲン、バイオポリマーＳＡ−Ｎ（Ｂｉｏｐｏｌｙｍｅｒ  ＳＡ−Ｎ）、ペンタケア−ＮＡ  ＰＦ（Ｐｅｎｔａｃａｒｅ−ＮＡ  ＰＦ）およびそれらの混合物からなる群から選択され、前記非イオン性乳化剤は、ポリビニルアルコール、変性ポリビニルアルコール、化工デンプン、変性セルロース、多糖類およびそれらの混合物からなる群から選択される工程と、
３）前記油相を前記水相に添加して水中油型分散液を形成する工程と、
４）界面重合を誘発させてマイクロカプセルをスラリーの形態で形成するのに十分な条件を適用する工程と
を含む方法において、該方法は、
−  前記少なくとも３つのイソシアネート官能基を有する少なくとも１種のポリイソシアネートが、前記油相の１〜１５質量％に含まれる量で存在し、
−  該方法のいずれの段階においても相当量のアミンまたはポリアミンを添加せず、かつ
−  該方法が、カチオン性ポリマーを添加して前記マイクロカプセルに外側被覆を形成するさらなる工程を含まない
ことを特徴とする、方法。
【請求項２】
前記マイクロカプセルスラリーを乾燥させて、乾燥したマイクロカプセルを得る工程をさらに含む、請求項１記載の方法。
【請求項３】
前記少なくとも３つのイソシアネート官能基を有する少なくとも１種のポリイソシアネートは、前記油相の２〜８質量％に含まれる量で存在することを特徴とする、請求項１または２記載の方法。
【請求項４】
前記少なくとも３つのイソシアネート官能基を有する少なくとも１種のポリイソシアネートは、前記油相の２〜６質量％に含まれる量で存在することを特徴とする、請求項１から３までのいずれか１項記載の方法。
【請求項５】
前記少なくとも３つのイソシアネート官能基を有する少なくとも１種のポリイソシアネートは、少なくとも１種の脂肪族ポリイソシアネートと少なくとも１種の芳香族ポリイソシアネートとの混合物であり、前記脂肪族ポリイソシアネートと前記芳香族ポリイソシアネートとは、８０：２０〜１０：９０の範囲の各モル比であることを特徴とする、請求項１から４までのいずれか１項記載の方法。
【請求項６】
前記少なくとも３つのイソシアネート官能基を有する少なくとも１種のポリイソシアネートは、芳香族ポリイソシアネートであることを特徴とする、請求項１から４までのいずれか１項記載の方法。
【請求項７】
前記油相は、前記疎水性活性成分と、前記少なくとも３つのイソシアネート官能基を有する少なくとも１種のポリイソシアネートとから実質的になることを特徴とする、請求項１から６までのいずれか１項記載の方法。
【請求項８】
前記疎水性活性成分は、香料、フレーバー、栄養補助食品、化粧料、昆虫防除剤、殺生物活性剤およびそれらの混合物からなる群から選択されることを特徴とする、請求項１から７までのいずれか１項記載の方法。
【請求項９】
請求項１および３から８までのいずれか１項記載の方法により得ることができる、ポリ尿素系マイクロカプセルスラリー。
【請求項１０】
請求項９記載のマイクロカプセルスラリーを乾燥させることにより得られた、ポリ尿素系マイクロカプセル粉末。
【請求項１１】
請求項９記載のマイクロカプセルスラリーであって、前記マイクロカプセルスラリーはマイクロカプセルを含み、該マイクロカプセルはコアシェル形のモルホロジーを有し、かつ
−  疎水性活性成分、例えば香油またはフレーバーオイルを含む油系コアと、
−  ポリアミンまたはアミンの不在下で、少なくとも３つのイソシアネート官能基を含む少なくとも１種のポリイソシアネートと、請求項１で定義された乳化剤とから形成された重合ポリイソシアネートから実質的になるシェルと
を含むマイクロカプセルスラリーにおいて、前記マイクロカプセルは、カチオン性被覆を含まない、マイクロカプセルスラリー。
【請求項１２】
請求項１０記載のマイクロカプセル粉末であって、前記マイクロカプセル粉末はマイクロカプセルを含み、該マイクロカプセルはコアシェル形のモルホロジーを有し、かつ
−  疎水性活性成分を含む油系コアと、
−  ポリアミンまたはアミンの不在下で、少なくとも３つのイソシアネート官能基を含む少なくとも１種のポリイソシアネートと請求項１で定義された乳化剤とから形成された重合ポリイソシアネートから実質的になるシェルと
を含むマイクロカプセル粉末において、前記マイクロカプセルは、カチオン性被覆を含まない、マイクロカプセル粉末。
【請求項１３】
（ｉ）請求項９もしくは１１記載のマイクロカプセルスラリーまたは請求項１０もしくは１２記載のマイクロカプセル粉末であって、前記油は芳香剤を含むものとするマイクロカプセルスラリーまたはマイクロカプセル粉末と、
（ｉｉ）香料担体および香料補助成分からなる群から選択される少なくとも１種の成分と、
（ｉｉｉ）任意に、少なくとも１種の香料補助剤と
を含む、付香組成物。
【請求項１４】
付香された液体の消費者製品であって、好ましくは洗濯ケア製品、ホームケア製品、ボディケア製品、スキンケア製品、空気ケア製品または衛生製品の形態の消費者製品において、
ｅ）少なくとも１種の界面活性剤を、該消費者製品の全質量に対して２〜６５質量％と、
ｆ）水または水混和性の親水性有機溶媒と、
ｇ）請求項９または１１記載のマイクロカプセルスラリーと
を含む、液体の消費者製品。
【請求項１５】
付香された粉末の消費者製品であって、好ましくは、洗濯ケア製品、ホームケア製品、ボディケア製品、スキンケア製品、空気ケア製品または衛生製品の形態の消費者製品において、
（ａ）少なくとも１種の界面活性剤を、該消費者製品の全質量に対して２〜６５質量％と、
（ｂ）請求項１０もしくは１２記載のマイクロカプセル粉末または請求項１３記載の付香組成物と
を含む、粉末の消費者製品。
【発明の詳細な説明】
【技術分野】
【０００１】
本発明は、マイクロカプセルの新規な製造方法に関する。前記方法により得ることができるマイクロカプセルも、本発明の対象である。前記マイクロカプセルを含む付香組成物および消費者製品、特にホームケア製品またはパーソナルケア製品の形態である付香された消費者製品も、本発明の一部である。
【０００２】
発明の背景
香料産業が直面する課題の１つとして、発香性の化合物によりもたらされる嗅覚上の有益性が、その揮発性、特に「トップノート」の揮発性ゆえに比較的に急速に失われてしまうことが挙げられる。揮発性物質の放出速度を調節するためには、コアのペイロードを保護し、かつトリガが与えられた際にコアのペイロードを遅れて放出することができる送達システム、例えば芳香剤を含有するマイクロカプセルのような送達システムが必要である。こうしたシステムに関する産業界からの重要な要求の１つに、困難を伴うベースにおいて、物理的に解離も分解もせずに懸濁性が保持されることが挙げられる。これは、送達システムについての安定性に関する性能と呼ばれる。例えば、攻撃性の界面活性剤を高レベルで含有する個人向けおよび家庭用の香料入り洗浄剤は、マイクロカプセルの安定性に関して非常に課題が多い。
【０００３】
主に疎水性活性剤を封入することにより該活性剤を保護し、そしてその制御された放出を提供するために、メラミン−ホルムアルデヒド樹脂で形成されたアミノプラストマイクロカプセルが使用されてきた。しかしアミノプラストマイクロカプセルのようなカプセルには、香料消費者製品のような界面活性剤を含有する消費者製品への使用時に、特に高温での長期間の貯蔵後に、安定性の問題がある。このような製品では、たとえカプセルシェルが無傷なままであっても、製品のベースに封入された活性剤を可溶化し得る界面活性剤の存在によって、封入された活性剤がシェルを通って拡散することによりカプセル外に漏出する傾向にある。この漏出現象によって、活性剤を保護し、かつ活性成分の制御された放出を提供するはずのカプセルの有効性が低下する。
【０００４】
油系コアをベースとするマイクロカプセルの安定性を向上させるための様々な戦略が記載されてきた。マイクロカプセルの安定性を向上させるための方法として、ポリアミンおよびポリイソシアネートのような化学物質群によるカプセルシェルの架橋が記載されている。国際公開第２０１１／１５４８９３号（ＷＯ  ２０１１／１５４８９３）には例えば、特定の相対濃度で芳香族ポリイソシアネートと脂肪族ポリイソシアネートとの組合せを用いたポリ尿素マイクロカプセルの製造方法が開示されている。アミノプラストと比較して、ポリ尿素系マイクロカプセルにより、メラミン−ホルムアルデヒド不含であるという付加的な利点が提供される。しかし、こうしたカプセルは砕けやすくないため、機械的特性に関して常に満足がいくわけではない。このことは、取扱い時や、意図的に例えば擦ることによって破壊した後に知覚される匂い強度により表されるその嗅覚性能に悪影響を及ぼすおそれがある。
【０００５】
一方で、一部の従来技術には、ポリアミンを添加せずに製造されたポリ尿素系マイクロカプセルが記載されている。特に国際公開第９７／４４１２５号（ＷＯ  ９７／４４１２５）には、界面重合法により製造されたマイクロカプセルが開示されており、該方法では、ポリ尿素が、カプセルシェルを形成するための必須成分として記載された芳香族ジイソシアネートのみによって形成される。この開示においては、３つ以上のイソシアネート基を有する芳香族ポリイソシアネートが存在する場合があるが、これは架橋剤として使用されるのみである。しかし、ジイソシアネートは非常に反応性が高いことが知られているため、ポリマーシェルを形成するためには魅力的ではあるものの、安全性の観点から常に適切な成分であると考えられているわけではない。Ｃｏｌｌｏｉｄｓ  ａｎｄ  Ｓｕｒｆａｃｅｓ  Ｂ：  Ｂｉｏｉｎｔｅｒｆａｃｅｓ  ３７  （２００４）  １２９．１３２におけるＫｅｎ  Ｔｅｒａｏら著，Ｓｉｎｇｌｅ−ｐａｒｔｉｃｌｅ  ｌｉｇｈｔ  ｓｃａｔｔｅｒｉｎｇ  ｓｔｕｄｙ  ｏｆ  ｐｏｌｙｅｔｈｙｌｅｎｅｇｌｙｃｏｌ−ｇｒａｆｔｅｄ  ｐｏｌｙ（ｕｒｅａｕｒｅｔｈａｎｅ）  ｍｉｃｒｏｃａｐｓｕｌｅ  ｉｎ  ｅｔｈａｎｏｌには、封入すべき油の量と比較して高レベルのトリイソシアネートを使用してカプセルシェルを製造することに基づくカプセルについて、エージング時に油保持性が低いことが判明したことが、さらに教示されている。より具体的には、この論文によれば、ほぼ等質量のポリイソシアネートを使用して大型の高ｌｏｇＰ分子（ジ−２−エチルヘキシルフタレート）を封入した場合（これについては、厚いカプセルシェルからの漏出の傾向が低いことが示されるものと予測された）であっても、得られたカプセルは、有機溶媒に導入した際に貯蔵安定性が低く、該カプセルから（ジ−２−エチルヘキシルフタレート）が非常に高度に漏出する。このことは、使用したポリイソシアネート（トリイソシアネート）が、漏出を誘発するおそれがある強力な媒体におけるコア油の漏出を防止し得るシェルを得るのには適していないことを示唆している。ここで、該媒体は、有機溶媒または高レベルの界面活性剤を含む水溶液である。
【０００６】
したがって、当技術分野においてコアシェル型マイクロカプセルは知られてはいるものの、該カプセルの品質および／またはその製造方法には改善の余地がある。
【０００７】
したがって、例えば界面活性剤系消費者製品のような困難を伴う媒体において嗅覚性能に優れ、かつ安定であって、簡便化された費用対効果の高い方法により製造されたポリ尿素系カプセルを提供することが依然として求められている。
【０００８】
発明の概要
ここで、従来の教示に基づいて予測され得るものとは対照的に、香油のような疎水性活性成分をポリ尿素系マイクロカプセルに封入することにより、ジイソシアネート以外のポリイソシアネートで実質的に形成されたシェルが得られることが判明した。したがって本発明の方法によって、上記の課題に対する解決策が提供される。なぜならば本発明の方法により、少なくとも３つのイソシアネート官能基を含むポリイソシアネート（好ましくは、芳香族であって、ジイソシアネートを含まない）で実質的に形成された重合ポリイソシアネートからなる膜を用いることで、さらなる架橋剤の不在下でカプセルを製造することができるためである。意想外にも、このようなポリイソシアネートを非常に限られた量でしか使用しない場合であっても、こうしたカプセルが安定性および嗅覚性能に関して高性能であることが実証されている。
【０００９】
第１の態様において、本発明は、ポリ尿素系コアシェル型マイクロカプセルスラリーの製造方法であって、
１）疎水性活性成分を、少なくとも３つのイソシアネート官能基を有する少なくとも１種のポリイソシアネートと混合して油相を形成する工程、ただし、前記油相は、ジイソシアネートを実質的に含有しないことを条件とする、と、
２）イオン性または非イオン性乳化剤を水に溶解させて、水相を形成する工程であって、前記イオン性乳化剤は、アラビアガム、カルボキシメチルセルロース、ダイズタンパク質、カゼインナトリウム、ゼラチン、ウシ血清アルブミン、テンサイペクチン、加水分解ダイズタンパク質、加水分解セリシン、疑似コラーゲン、バイオポリマーＳＡ−Ｎ（Ｂｉｏｐｏｌｙｍｅｒ  ＳＡ−Ｎ）、ペンタケア−ＮＡ  ＰＦ（Ｐｅｎｔａｃａｒｅ−ＮＡ  ＰＦ）およびそれらの混合物からなる群から選択され、前記非イオン性乳化剤は、ポリビニルアルコール、変性ポリビニルアルコール、化工デンプン、変性セルロース、多糖類およびそれらの混合物からなる群から選択される工程と、
３）前記油相を前記水相に添加して水中油型分散液を形成する工程と、
４）界面重合を誘発させてマイクロカプセルをスラリーの形態で形成するのに十分な条件を適用する工程と
を含む方法において、該方法は、
−  前記少なくとも３つのイソシアネート官能基を有する少なくとも１種のポリイソシアネートが、前記油相の１〜１５質量％に含まれる量で存在し、
−  該方法のいずれの段階においても相当量のアミンまたはポリアミンを添加せず、かつ
−  該方法が、カチオン性ポリマーを添加して前記マイクロカプセルに外側被覆を形成するさらなる工程を含まない
ことを特徴とする方法に関する。
【００１０】
第２の態様において、本発明は、上記の方法により得ることができる、ポリ尿素系マイクロカプセルスラリーに関する。
【００１１】
第３の態様において、本発明は、上記のマイクロカプセルスラリーを乾燥させることにより得られた、ポリ尿素系マイクロカプセル粉末に関する。
【００１２】
第４の態様において、本発明は、マイクロカプセルスラリーであって、前記マイクロカプセルスラリーはポリ尿素系マイクロカプセルを含み、該マイクロカプセルはコアシェル形のモルホロジーを有し、かつ
−  疎水性活性成分を含む油系コアと、
−  アミンまたはポリアミンの不在下で、少なくとも３つのイソシアネート官能基を含む少なくとも１種のポリイソシアネートと上記の乳化剤とから形成された重合ポリイソシアネートから実質的になるシェルと
を含むマイクロカプセルスラリーにおいて、前記マイクロカプセルは、カチオン性被覆を含まないマイクロカプセルスラリーに関する。
【００１３】
第５の態様において、本発明は、
（ｉ）上記で定義されたマイクロカプセルであって、前記油は芳香剤を含むものとするマイクロカプセルと、
（ｉｉ）香料担体および香料補助成分からなる群から選択される少なくとも１種の成分と、
（ｉｉｉ）任意に、少なくとも１種の香料補助剤と
を含む付香組成物に関する。
【００１４】
最後に、第６および第７の態様において、本発明は、先に定義されたマイクロカプセルまたは付香組成物を含有する、液体または粉末の形態の付香された界面活性剤系消費者製品に関する。
【図面の簡単な説明】
【００１５】
【図１】図１は、パネルにより芳香強度の評点がつけられた、シャワージェル組成物におけるカプセルの評価結果を示す（［本発明による］アミンを使用せずに製造されたカプセルと、［本発明によらない］アミンを使用して製造されたカプセルとの比較）。
【図２】図２は、パネルにより芳香強度の評点がつけられた、シャワージェル組成物におけるカプセルの評価結果を示す（自由な状態の油および本発明によるマイクロカプセルと、自由な状態の油のみとの比較）。
【図３】図３は、パネルにより芳香強度の評点がつけられた、シャワージェル組成物における（本発明による）カプセルの評価結果を示す。
【図４】図４は、パネルにより芳香強度の評点がつけられた、キッチンワイプにおけるカプセルの評価結果を示す。
【図５】図５は、パネルにより芳香強度の評点がつけられた、ＡＰ/Ｄｅｏのロールオンベースにおけるカプセルの評価結果を示す。
【図６】図６は、パネルにより芳香強度の評点がつけられた、ＡＰ/Ｄｅｏのロールオンベースにおけるカプセルの評価結果を示す。
【００１６】
発明の詳細な説明
特に明記しない限り、パーセンテージ（％）は、組成物の質量に対するパーセンテージを表すことを意図している。
【００１７】
「香油またはフレーバーオイル」とは、単一の付香もしくは着香化合物または複数の付香もしくは着香化合物の混合物を意味する。
【００１８】
明確にするために述べると、本発明における「分散液」という表現は、異なる組成の連続相に粒子が分散された系を意味し、これには具体的には、懸濁液またはエマルションが含まれる。
【００１９】
本発明における「コアシェル型マイクロカプセル」または類似の表現は、カプセルがマイクロメートル範囲（例えば約１〜３０００μｍに含まれる平均径（ｄ（ｖ，０．５）））の粒径分布を有し、オリゴマー系の固体の外側シェルと、該外側シェルに覆われた内側の連続油相とを含むことを意味する。換言すれば、コアセルベートまたは押出成形物などの物体（すなわち液滴を含有する多孔性の固体相）は、本発明の一部ではない。
【００２０】
本発明によれば、「平均直径」または「平均径」という語は、互換的に使用される。
【００２１】
本発明によれば、「相当量のアミンまたはポリアミンを添加せず」とは、本発明の方法におけるアミンまたはポリアミンの添加量が、たとえポリイソシアネートと反応したとしても、マイクロカプセルシェルの特性を大きく変化させることがないような、十分に低いものでなければならないことを意味する。典型的には、本発明の方法において添加し得るアミン官能基の量は、イソシアネート官能基の量の５０モル％未満、好ましくは２５モル％未満、最も好ましくは１０モル％未満である。
【００２２】
特定の一実施形態によれば、本発明による方法のいずれの段階においてもアミンまたはポリアミンを添加しない。
【００２３】
「ポリ尿素系」壁またはシェルとは、ポリマーシェルが尿素結合を含むことを意味する。該尿素結合は、アミノ官能性架橋剤か、またはイソシアネート基の加水分解により生成されるアミノ基が界面重合時にさらにイソシアネート基と反応し得ることによって製造される。したがって、界面重合時にポリオールとイソシアネート基との反応により生成されるウレタン結合は、この定義から除外される。
【００２４】
本発明の文脈において、さらなる架橋剤（ｃｒｏｓｓ−ｌｉｎｋｅｒ）またはさらなる架橋性薬剤（ｃｒｏｓｓ−ｌｉｎｋｉｎｇ  ａｇｅｎｔ）とは、ポリマー鎖同士を結合し得るスペーサーを示すことを意図している。
【００２５】
本発明によれば、油相は、ジイソシアネートを実質的に含有しない。
【００２６】
特定の一実施形態によれば、油相は、ジイソシアネートをまったく含有しない。
【００２７】
本発明によれば、マイクロカプセルは、メラミン−ホルムアルデヒド不含である。
【００２８】
特定のポリイソシアネートを限られた量で使用した界面重合に基づくプロセスに、架橋剤、すなわち（ポリ）アミンを添加することなく、良好な性能を示す、すなわち界面活性剤系製品における安定性と匂いの知覚とのバランスが適切であるマイクロカプセルが得られることが判明した。このことは、これまでポリアミンを添加しないポリ尿素系カプセルについて記載された方法については、ジイソシアネートがその反応性に基づいて必須成分として使用されていたか、あるいは得られるカプセルの性能が低く、特に貯蔵時に高度に油が漏出することが記載されていることからトリイソシアネートの使用を避けるように教示されていたかのいずれかのみであったという観点から、非常に驚くべきことである。
【００２９】
したがって第１の態様において、本発明は、ポリ尿素系コアシェル型マイクロカプセルスラリーの製造方法であって、
１）疎水性活性成分を、少なくとも３つのイソシアネート官能基を有する少なくとも１種のポリイソシアネートと混合して油相を形成する工程、ただし、前記油相は、ジイソシアネートを実質的に含有しないことを条件とする、と、
２）イオン性または非イオン性乳化剤を水に溶解させて、水相を形成する工程であって、前記イオン性乳化剤は、アラビアガム、カルボキシメチルセルロース、ダイズタンパク質、カゼインナトリウム、ゼラチン、ウシ血清アルブミン、テンサイペクチン、加水分解ダイズタンパク質、加水分解セリシン、疑似コラーゲン、バイオポリマーＳＡ−Ｎ（Ｂｉｏｐｏｌｙｍｅｒ  ＳＡ−Ｎ）、ペンタケア−ＮＡ  ＰＦ（Ｐｅｎｔａｃａｒｅ−ＮＡ  ＰＦ）およびそれらの混合物からなる群から選択され、前記非イオン性乳化剤は、ポリビニルアルコール、変性ポリビニルアルコール、化工デンプン、変性セルロース、多糖類およびそれらの混合物からなる群から選択される工程と、
３）前記油相を前記水相に添加して水中油型分散液を形成する工程と、
４）界面重合を誘発させてマイクロカプセルをスラリーの形態で形成するのに十分な条件を適用する工程と
を含む方法において、該方法は、
−  前記少なくとも３つのイソシアネート官能基を有する少なくとも１種のポリイソシアネートが、前記油相の１〜１５質量％に含まれる量で存在し、
−  該方法のいずれの段階においても相当量のアミンまたはポリアミンを添加せず、かつ
−  該方法が、カチオン性ポリマーを添加して前記マイクロカプセルに外側被覆を形成するさらなる工程を含まない
ことを特徴とする方法に関する。
【００３０】
一実施形態によれば、ポリイソシアネートと重合し得るアミンまたはポリアミン以外の水溶性反応物質の相当量を該方法のいずれの段階においても添加せず、前記水溶性反応物質は、ポリオール、チオール、尿素、ウレタンおよびそれらの混合物からなる群から選択される。
【００３１】
したがって、ジイソシアネートの不在下で、少なくとも３つのイソシアネート官能基を含むポリイソシアネート（好ましくは、芳香族化合物）が油相中に限られた量でしか存在しない場合であっても、良好な性質を有するカプセルシェルを提供するのに十分な効率でポリイソシアネートを重合できることが判明した。
【００３２】
工程１：油相の提供
本方法の第１の工程において、疎水性活性成分を、少なくとも３つのイソシアネート官能基を有する少なくとも１種のポリイソシアネートと混合して油相を形成するが、ただし、前記油相は、ジイソシアネートを実質的に含有しないことを条件とする。
【００３３】
疎水性活性成分
「疎水性活性成分」とは、水中で２相の溶液を形成するいずれの活性成分（単一の成分または複数の成分の混合物）をも意味する。
【００３４】
疎水性活性成分は好ましくは、フレーバー、フレーバー成分、芳香剤、芳香剤成分、栄養補助食品、化粧料、昆虫防除剤、殺生物活性剤およびそれらの混合物からなる群から選択される。
【００３５】
油相中に存在する昆虫防除剤の性質および種類について、本明細書はこれ以上詳細な記載を保証するものではないが、いずれにせよ全てのものを余すことなく詳細に記載できるものではなく、当業者であれば、自身の一般知識に基づいて、また用途に応じて、それらを選択することができるであろう。
【００３６】
このような昆虫防除剤の例は、カバノキ、ＤＥＥＴ（Ｎ，Ｎ−ジエチル−ｍ−トルアミド）、レモンユーカリ（Ｃｏｒｙｍｂｉａ  ｃｉｔｒｉｏｄｏｒａ）の精油およびその活性化合物、ｐ−メンタン−３，８−ジオール（ＰＭＤ）、イカリジン（ヒドロキシエチルイソブチルピペリジンカルボキシレート）、ネペラクトン、シトロネラ油、ニーム油、ボグミルトル（Ｂｏｇ  Ｍｙｒｔｌｅ）（セイヨウヤチヤナギ）、ジメチルカルバート、トリシクロデセニルアリルエーテル、ＩＲ３５３５（３−［Ｎ−ブチル−Ｎ−アセチル］アミノプロピオン酸、エチルエステル、エチルヘキサンジオール、フタル酸ジメチル、メトフルトリン、インダロン、ＳＳ２２０、アントラニレート系昆虫忌避剤ならびにそれらの混合物である。
【００３７】
特定の一実施形態によれば、疎水性活性成分は、芳香剤と、栄養補助食品、化粧料、昆虫防除剤および殺生物活性剤からなる群から選択される他の成分との混合物を含む。
【００３８】
特定の一実施形態によれば、疎水性活性成分は、芳香剤を含む。
【００３９】
特定の一実施形態によれば、疎水性活性成分は、芳香剤からなる。
【００４０】
「香油」は「芳香剤」とも呼ばれ、これは本明細書では、約２０℃で液状である成分または組成物を意味する。上記実施形態のいずれか１つによれば、前記香油は、単独の付香成分であってもよいし、付香組成物の形態での複数の成分の混合物であってもよい。「付香成分」とは、本明細書では、匂いの付与または調整を主な目的として使用される化合物を意味する。すなわち、付香成分であると考えられるべきこのような成分は、単に匂いを有しているものとしてではなく、少なくとも組成物にポジティブな、または心地よい匂いを付与するか、または匂いをポジティブに、または心地よいように変更できるものとして、当業者には認識されるはずである。本発明においては、香油には、付香成分と、付香成分の送達を一緒に改善、向上または変更する物質（例えば、芳香剤前駆体、エマルションまたは分散液）との組合せ、ならびに匂いを変更または付与するという有益性以外の、例えば長期持続性、ブルーミング、悪臭中和作用、抗微生物作用、微生物安定性、昆虫防除性といったさらなる有益性を付与する組合せも含まれる。
【００４１】
油相中に存在する付香成分の性質および種類について、本明細書はこれ以上詳細な記載を保証するものではないが、いずれにせよ全てのものを余すことなく詳細に記載できるものではなく、当業者であれば、自身の一般知識に基づき、また用途および所望の感覚受容作用に従って、それらを選択することができるであろう。一般的に言えば、これらの付香成分は、アルコール類、アルデヒド類、ケトン類、エステル類、エーテル類、アセテート類、ニトリル類、テルペノイド類、含窒素複素環式化合物または含硫黄複素環式化合物および精油といった様々な化学種に属し、また該香料補助成分は、天然由来のものであっても合成由来のものであってもよい。こうした補助成分の多くは、いずれにせよ、Ｓ．Ａｒｃｔａｎｄｅｒによる著作Ｐｅｒｆｕｍｅ  ａｎｄ  Ｆｌａｖｏｒ  Ｃｈｅｍｉｃａｌｓ，  １９６９，  Ｍｏｎｔｃｌａｉｒ，  Ｎｅｗ  Ｊｅｒｓｅｙ，  ＵＳＡもしくはその最新版のような参考文献、または類似の性質の他の論文、および香料分野の多数の特許文献に列記されている。また前記成分は、様々な種類の付香化合物を制御された様式で放出することが知られている化合物であってもよいことも理解される。
【００４２】
付香成分を、芳香剤産業で現在使用されている溶媒に溶解させてもよい。溶媒は、好ましくはアルコールではない。このような溶媒の例は、フタル酸ジエチル、ミリスチン酸イソプロピル、Ａｂａｌｙｎ（登録商標）（ロジン樹脂、Ｅａｓｔｍａｎより入手可能）、安息香酸ベンジル、クエン酸エチル、リモネン類もしくは他のテルペン類またはイソパラフィン類である。溶媒は好ましくは、非常に疎水性が高く、高立体障害性であり、例えばＡｂａｌｙｎ（登録商標）または安息香酸ベンジルである。芳香剤は好ましくは、３０％未満の溶媒を含む。芳香剤はより好ましくは、２０％未満、さらにより好ましくは１０％未満の溶媒を含む。これらのパーセンテージはいずれも、芳香剤の全質量に対する質量により定められる。最も好ましくは、芳香剤は溶媒を実質的に含まない。
【００４３】
一実施形態によれば、疎水性活性成分は、工程３）後に得られた分散液の全質量に対して２０〜５０質量％で存在する。
【００４４】
少なくとも３つのイソシアネート官能基を有するポリイソシアネート
本発明により使用される適切なポリイソシアネートとしては、芳香族ポリイソシアネート、脂肪族ポリイソシアネートおよびそれらの混合物が挙げられる。本発明によれば、油相は、少なくとも１種のポリイソシアネートを含み、該ポリイソシアネートは、少なくとも３つのイソシアネート官能基を有するが、ただしイソシアネート官能基を６つまで含んでよく、またはさらにイソシアネート官能基を４つしか含んでいなくてもよい。
【００４５】
特定の一実施形態によれば、トリイソシアネート（イソシアネート官能基３つ）が使用される。
【００４６】
一実施形態によれば、前記ポリイソシアネートは、芳香族ポリイソシアネートである。
【００４７】
本明細書では、「芳香族ポリイソシアネート」という用語は、芳香族部分を含む任意のポリイソシアネートも包含することを意味する。好ましくはこの用語は、フェニル、トルイル、キシリル、ナフチルまたはジフェニル部分を含み、より好ましくはトルイルまたはキシリル部分を含む。好ましい芳香族ポリイソシアネートは、ビウレット、ポリイソシアヌレートおよびジイイソシアネートのトリメチロールプロパン付加物であり、より好ましくは上記で言及された特定の芳香族部分のうちの１つを含む。芳香族ポリイソシアネートはより好ましくは、トルエンジイソシアネートのポリイソシアヌレート（商品名Ｄｅｓｍｏｄｕｒ（登録商標）ＲＣとしてＢａｙｅｒより市販）、トルエンジイソシアネートのトリメチロールプロパン付加物（商品名Ｄｅｓｍｏｄｕｒ（登録商標）Ｌ７５としてＢａｙｅｒより市販）、キシリレンジイシソアネートのトリメチロールプロパン付加物（商品名Ｔａｋｅｎａｔｅ（登録商標）Ｄ−１１０ＮとしてＭｉｔｓｕｉ  Ｃｈｅｍｉｃａｌｓより市販）である。最も好ましい一実施形態では、芳香族ポリイソシアネートは、キシリレンジイシソアネートのトリメチロールプロパン付加物である。
【００４８】
もう１つの実施形態によれば、前記ポリイソシアネートは、脂肪族ポリイソシアネートである。「脂肪族ポリイソシアネート」という用語は、芳香族部分を何ら含まないポリイソシアネートと定義される。好ましい脂肪族ポリイソシアネートは、ヘキサメチレンジイソシアネートの三量体、イソホロンジイソシアネートの三量体、ヘキサメチレンジイソシアネートのトリメチロールプロパン付加物（Ｍｉｔｓｕｉ  Ｃｈｅｍｉｃａｌｓより入手可能）またはヘキサメチレンジイソシアネートのビウレット（商品名Ｄｅｓｍｏｄｕｒ（登録商標）Ｎ１００としてＢａｙｅｒより市販）であり、これらの中でもヘキサメチレンジイソシアネートのビウレットがさらにより好ましい。
【００４９】
もう１つの実施形態によれば、前記少なくとも１種のポリイソシアネートは、少なくとも１種の脂肪族ポリイソシアネートと少なくとも１種の芳香族ポリイソシアネート（双方とも少なくとも３つのイソシアネート官能基を含む）との混合物の形態であり、例えば、ヘキサメチレンジイソシアネートのビウレットとキシリレンジイシソアネートのトリメチロールプロパン付加物との混合物、ヘキサメチレンジイソシアネートのビウレットとトルエンジイソシアネートのポリイソシアヌレートとの混合物およびヘキサメチレンジイソシアネートのビウレットとトルエンジイソシアネートのトリメチロールプロパン付加物との混合物の形態である。最も好ましくは、ヘキサメチレンジイソシアネートのビウレットとキシリレンジイシソアネートのトリメチロールプロパン付加物との混合物である。好ましくは、混合物として使用される場合、脂肪族ポリイソシアネートと芳香族ポリイソシアネートとのモル比は、８０：２０〜１０：９０の範囲である。
【００５０】
本発明の方法に使用される少なくとも１種のポリイソシアネートは、油相の１〜１５質量％、好ましくは１．５〜１２質量％、より好ましくは２〜８質量％、さらにより好ましくは２〜６質量％を表す量で存在する。
【００５１】
特定の一実施形態によれば、油相は実質的に、少なくとも３つのイソシアネート官能基を有するポリイソシアネートと、疎水性活性成分とからなる。
【００５２】
工程２：水への乳化剤の溶解による水相の形成
本発明によるマイクロカプセルのポリマーシェルは、乳化剤の存在下での界面重合により形成される。
【００５３】
本発明によれば、乳化剤を水に可溶化させることで水相を形成し、ここで、好ましくはｐＨ＞５である。
【００５４】
本発明によれば、乳化剤は、イオン性であっても非イオン性であってもよい。
【００５５】
本発明によれば、イオン性乳化剤は、アラビアガム、カルボキシメチルセルロース、ダイズタンパク質、カゼインナトリウム、ゼラチン、ウシ血清アルブミン、テンサイペクチン、加水分解ダイズタンパク質、加水分解セリシン、疑似コラーゲン、バイオポリマーＳＡ−Ｎ（Ｂｉｏｐｏｌｙｍｅｒ  ＳＡ−Ｎ）（ＩＮＣＩ名：ヒアルロン酸（および）血清アルブミン（および）硫酸デキストラン）、ペンタケア−ＮＡ  ＰＦ（Ｐｅｎｔａｃａｒｅ−ＮＡ  ＰＦ）（加水分解コムギグルテン（および）イナゴマメ（Ｃａｒｏｂ）ガム（および）水（および）硫酸デキストランナトリウム（および）ビス−ヒドロキシエチルトロメタミン（および）フェノキシエタノール（および）エチルヘキシルグリセリン）ならびにそれらの混合物からなる群から選択される。
【００５６】
好ましい一実施形態によれば、イオン性乳化剤は、アラビアガム、カルボキシメチルセルロース、カゼインナトリウム、テンサイペクチンおよびそれらの混合物からなる群から選択される。
【００５７】
本発明によれば、非イオン性乳化剤は、ポリビニルアルコール、変性ポリビニルアルコール、化工デンプン、変性セルロース、多糖類およびそれらの混合物からなる群から選択される。
【００５８】
特定の一実施形態によれば、非イオン性乳化剤は、ポリビニルアルコール、化工デンプンおよびそれらの混合物からなる群から選択される。
【００５９】
本発明の上記実施形態のいずれか１つによれば、分散液は、少なくとも１種の乳化剤を約０．１〜５質量％含み、ここで、パーセンテージは、工程３）後に得られた分散液の全質量に対する質量／質量ベースで表される。本発明のさらにもう１つの態様において、分散液は、少なくとも１種の乳化剤を約０．１〜２質量％含む。本発明のさらにもう１つの態様において、分散液は、少なくとも１種の乳化剤を約０．１〜１質量％含む。
【００６０】
工程３：油相と水相との混合による分散液の形成
本発明の方法の次の工程において、次いで油相を水相に添加して、分散液を形成する。
【００６１】
一実施形態によれば、平均液滴径は１〜３０００μｍに含まれ、これによって１〜３０００μｍに含まれるサイズを有するマイクロカプセルが得られる。
【００６２】
当業者は、所望の用途の性質に応じてマイクロカプセルのサイズを容易に調節することができる。
【００６３】
したがって一実施形態によれば、マイクロカプセルは、１〜１００μｍ、好ましくは５〜５０マイクロメートルに含まれる平均径を有する。なぜならば、こうしたマイクロカプセルが長期持続性に有用であることが判明したためである。
【００６４】
もう１つの実施形態によれば、マイクロカプセルは、１００マイクロメートル超３０００μｍ以下、好ましくは３００〜１５００マイクロメートルの平均径を有する。なぜならば、こうしたマイクロカプセルがブルーミングにおいて有用であることが判明したためである。
【００６５】
工程４：硬化工程
この後に、硬化工程４）を行う。この工程４）により、スラリーの形態のマイクロカプセルにすることができる。好ましい一実施形態によれば、前記工程は、５０〜１３０℃に含まれる温度で、場合により圧力下で、１５分〜８時間かけて行われる。前記工程はより好ましくは、５０〜９０℃で３０分〜４時間かけて行われる。前記工程は最も好ましくは、７５〜９０℃で１〜４時間かけて行われる。
【００６６】
任意の工程
非カチオン性外側被覆
本発明による方法は、カチオン性ポリマーを添加してマイクロカプセルに外側被覆を形成するさらなる工程を含まない。
【００６７】
しかし本発明の特定の一実施形態によれば、工程４）の終了時に本発明のスラリーに非イオン性多糖類を添加して、マイクロカプセルに外側被覆を形成してもよい。
【００６８】
非イオン性多糖類ポリマーは、当業者に周知である。好ましい非イオン性多糖類は、ローカストビーンガム、キシログルカン、グアーガム、ヒドロキシプロピルグアー、ヒドロキシプロピルセルロースおよびヒドロキシプロピルメチルセルロースからなる群から選択される。
【００６９】
本発明の上記実施形態のいずれか１つによれば、上記のポリマーが、約０〜５質量％、またはさらに約０．１〜２質量％に含まれる量で添加され、ここで、パーセンテージは、工程４）後に得られたスラリーの全質量に対する質量／質量ベースで表される。当業者には、前記添加されたポリマーの一部のみがマイクロカプセルのシェルに組み込まれ／該シェル上に堆積されることが明確に理解される。
【００７０】
乾燥
一実施形態によれば、上記の方法により得られたスラリーを例えば噴霧乾燥のような乾燥に供することで、そのままの、すなわち粉末形態のマイクロカプセルを得ることができる。こうした乾燥の実施には、当業者に知られている任意の標準的な方法を適用してよいことが理解される。
【００７１】
特に、当業者であれば、乾燥に適した方法を、特にマイクロカプセルのサイズに従って選択することができよう。
【００７２】
一例として、粉末形態のマイクロカプセルを得るためにスラリーを噴霧乾燥することができ、これは好ましくは、ポリ酢酸ビニル、ポリビニルアルコール、デキストリン、天然または化工デンプン、植物ガム、ペクチン、キサンタン、アルギン酸塩、カラギーナンまたはセルロース誘導体のようなポリマー担体材料の存在下で行われる。
【００７３】
上記実施形態のいずれかに定義された方法により得ることができるマイクロカプセルスラリーまたはマイクロカプセル粉末は、本発明のもう１つの対象である。
【００７４】
本発明のもう１つの対象は、ポリ尿素系マイクロカプセルスラリーであって、前記マイクロカプセルスラリーはマイクロカプセルを含み、該マイクロカプセルはコアシェル形のモルホロジーを有し、かつ
−  疎水性活性成分を含む油系コアと、
−  ポリアミンまたはアミンの不在下で、少なくとも３つのイソシアネート官能基を含む少なくとも１種のポリイソシアネートと上記の乳化剤とから形成された重合ポリイソシアネートから実質的になるシェルと
を含むマイクロカプセルスラリーにおいて、前記マイクロカプセルは、カチオン性被覆を含まない、マイクロカプセルスラリーである。
【００７５】
本発明によれば、該マイクロカプセルは、メラミン−ホルムアルデヒド不含である。
【００７６】
ポリイソシアネートが膜を形成する性質を示すにもかかわらず、そして該方法の間に使用されるポリイソシアネートの量が限られていることを考慮すると、このような膜は比較的薄いにもかかわらず、本発明のカプセルは、困難を伴う媒体における安定性の点で極めて良好な性能を示すとともに、良好な嗅覚性能を示す。
【００７７】
本発明のもう１つの対象は、
（ｉ）上記で定義されたマイクロカプセルであって、前記油は芳香剤を含むものとするマイクロカプセルと、
（ｉｉ）香料担体、香料補助成分およびそれらの混合物からなる群から選択される少なくとも１種の成分と、
（ｉｉｉ）任意に、少なくとも１種の香料補助剤と
を含む、付香組成物である。
【００７８】
液体の香料担体としては、非限定的な例として、乳化系、すなわち溶媒および界面活性剤系または香料に一般的に使用される溶媒を挙げることができる。香料に一般的に使用される溶媒の性質および種類については、全てのものを余すことなく詳細に記載できるものではない。ただし非限定的な例として、ジプロピレングリコール、フタル酸ジエチル、ミリスチン酸イソプロピル、安息香酸ベンジル、２−（２−エトキシエトキシ）−１−エタノールまたはクエン酸エチルといった溶媒を挙げることができ、これらが最も一般的に使用されている。香料担体および香料補助成分の双方を含む組成物について、先に明記したもの以外の適切な香料担体は、エタノール、水／エタノール混合物、リモネン類または他のテルペン類、イソパラフィン類、例えば商標Ｉｓｏｐａｒ（登録商標）（供給元・Ｅｘｘｏｎ  Ｃｈｅｍｉｃａｌ）で知られているもの、またはグリコールエーテル類およびグリコールエーテルエステル類、例えば商標Ｄｏｗａｎｏｌ（登録商標）（供給元：Ｄｏｗ  Ｃｈｅｍｉｃａｌ  Ｃｏｍｐａｎｙ）で知られているものであってもよい。「香料補助成分」とは本明細書では、快楽的な作用を付与する付香調製物または組成物において使用される化合物であって、上記で定義されたマイクロカプセルではないものを意味する。すなわち、付香成分であると考えられるべきこのような補助成分は、単に匂いを有しているものとしてではなく、組成物にポジティブな、または心地よい匂いを付与するか、あるいは組成物の匂いをポジティブに、または心地よいように変更できるものとして、当業者には認識されるはずである。
【００７９】
付香組成物中に存在する香料補助成分の性質および種類について、本明細書はこれ以上詳細な記載を保証するものではないが、いずれにせよ全てのものを余すことなく詳細に記載できるものではなく、当業者であれば、自身の一般知識に基づき、また用途および所望の感覚受容作用に従って、それらを選択することができるであろう。一般的に言えば、これらの香料補助成分は、アルコール類、ラクトン類、アルデヒド類、ケトン類、エステル類、エーテル類、アセテート類、ニトリル類、テルペノイド類、含窒素複素環式化合物または含硫黄複素環式化合物および精油といった様々な化学種に属し、また該香料補助成分は、天然由来のものであっても合成由来のものであってもよい。こうした補助成分の多くは、いずれにせよ、Ｓ．Ａｒｃｔａｎｄｅｒによる著作Ｐｅｒｆｕｍｅ  ａｎｄ  Ｆｌａｖｏｒ  Ｃｈｅｍｉｃａｌｓ，  １９６９，  Ｍｏｎｔｃｌａｉｒ，  Ｎｅｗ  Ｊｅｒｓｅｙ，  ＵＳＡもしくはその最新版のような参考文献、または類似の性質の他の論文、および香料分野の多数の特許文献に列記されている。また前記補助成分は、様々な種類の付香化合物を制御された様式で放出することが知られている化合物であってもよいことも理解される。
【００８０】
「香料補助剤」とは本明細書においては、色、特定の耐光性、化学的安定性などのさらに付加された有益性を付与し得る成分を意味する。付香ベースにおいて一般的に使用される補助剤の性質および種類については、全てのものを余すことなく詳細に記載できるものではなく、前記成分は当業者に周知であることに言及する必要がある。
【００８１】
好ましくは本発明による付香組成物は、上記で定義されたマイクロカプセルを０．０５〜３０質量％、好ましくは０．１〜３０質量％含む。
【００８２】
本発明のマイクロカプセルを、多くの適用分野および消費者製品において有利に使用することができる。マイクロカプセルは、液体の消費者製品に適用可能な液体形態で使用することも、粉末の消費者製品に適用可能な粉末形態で使用することも可能である。
【００８３】
本発明のもう１つの対象は、液体の消費者製品であって、
ａ）少なくとも１種の界面活性剤を、該消費者製品の全質量に対して２〜６５質量％と、
ｂ）水または水混和性の親水性有機溶媒と、
ｃ）上記で定義されたマイクロカプセルと、
ｄ）任意に、封入されていない芳香剤と
を含む、液体の消費者製品である。
【００８４】
粉末の消費者製品であって、
（ａ）少なくとも１種の界面活性剤を、該消費者製品の全質量に対して２〜６５質量％と、
（ｂ）上記で定義されたマイクロカプセルと、
（ｃ）任意に、上記で定義されたマイクロカプセルとは異なる芳香剤粉末と
を含む粉末の消費者製品も、本発明による対象である。
【００８５】
芳香剤の油系コアを含むマイクロカプセルの場合、本発明の製品は特に、付香された消費者製品、例えばファインフレグランスまたは「機能性」香料に属する製品に使用されるものであり得る。機能性香料としては特に、ヘアケア、ボディクレンジング、スキンケア、衛生ケアを含むパーソナルケア製品ならびに洗濯ケアおよび空気ケアを含むホームケア製品が挙げられる。したがって本発明のもう１つの対象は、上記で定義されたマイクロカプセルまたは上記で定義された付香組成物を付香成分として含む、付香された消費者製品からなる。前記消費者製品の芳香要素は、上記で定義された芳香剤マイクロカプセルと、自由な状態の、または封入されていない芳香剤と、本明細書に開示されたもの以外の種類の芳香剤マイクロカプセルとの組合せであり得る。
【００８６】
特に、液体の消費者製品であって、
ａ）少なくとも１種の界面活性剤を、該消費者製品の全質量に対して２〜６５質量％と、
ｂ）水または水混和性の親水性有機溶媒と、
ｃ）上記で定義された付香組成物と
を含む液体の消費者製品は、本発明のもう１つの対象である。
【００８７】
また、粉末の消費者製品であって、
（ａ）少なくとも１種の界面活性剤を、該消費者製品の全質量に対して２〜６５質量％と、
（ｂ）上記で定義された付香組成物と
を含む粉末の消費者製品も、本発明の一部である。
【００８８】
したがって、本発明のマイクロカプセルを、そのまま添加することも、付香された消費者製品中の本発明の付香組成物の一部として添加することもできる。
【００８９】
明確にするために述べると、「付香された消費者製品」とは、様々な有益性の中でも、付香作用を、適用される表面（例えば、皮膚、毛髪、布地、紙または家庭における表面）または空気中に（エアフレッシュナー、消臭剤など）送達することが期待される消費者製品を意味することに言及する必要がある。すなわち、本発明による付香された消費者製品とは、「ベース」とも呼ばれる機能性配合物を、有益な作用剤とともに、その中でも有効量の本発明によるマイクロカプセルとともに含む製品である。
【００９０】
付香された消費者製品の他の構成要素の性質および種類について、本明細書はこれ以上詳細な記載を保証するものではないが、いずれにせよ全てのものを余すことなく詳細に記載できるものではなく、当業者であれば、自身の一般知識に基づき、また該製品の性質および所望の作用に従って、それらを選択することができる。本発明のマイクロカプセルを組み込むことができる消費者製品のベース配合物は、このような製品に関する多数の文献に記載されている。これらの配合物については、本明細書ではより詳細な記載は保証されないが、いずれにせよ全てのものを余すことなく詳細に記載できるものではない。このような消費者製品を配合する当業者であれば、自身の一般的な知識および利用可能な文献に基づいて、適切な成分を完全に選択することができる。
【００９１】
適切な香料消費者製品の非限定的な例は、芳香剤、例えばファインパフューム、コロンまたはアフターシェーブローション；布地ケア製品、例えば液体または固体の洗剤、タブレットおよびポッド、布地柔軟剤、乾燥機用シート、布地リフレッシャー、アイロン水または漂白剤；ボディケア製品、例えばヘアケア製品（例えば、シャンプー、ヘアコンディショナー、カラーリング調製物またはヘアスプレー）、化粧調製物（例えば、バニシングクリーム、ボディローションまたは消臭剤もしくは発汗抑制剤）またはスキンケア製品（例えば、付香された石鹸、シャワーもしくはバスムース、ボディウォッシュ、オイルもしくはジェル、バスソルトまたは衛生製品）；空気ケア製品、例えばエアフレッシュナーまたは「すぐに使用可能な」粉末状エアフレッシュナー；またはホームケア製品、例えば万能クリーナー、液状もしくは粉末状またはタブレット状の台所洗剤製品、トイレクリーナーまたは種々の表面を清浄化するための製品、例えば布地または硬質表面（床、タイル、石目床など）の処理／リフレッシュを目的としたスプレー＆ワイプ、衛生製品、例えば生理用ナプキン、おむつ、トイレットペーパーであり得る。特定の一実施形態によれば、消費者製品は、シャンプー、シャワージェル、リンスオフコンディショナー、固形石鹸、粉末状または液状の洗剤、布地柔軟剤および床用クリーナーからなる群から選択される。
【００９２】
消費者製品は好ましくは、本発明のマイクロカプセルを０．０５質量％、好ましくは０．１〜１５質量％、より好ましくは０．２〜５質量％含み、ここで、これらのパーセンテージは、該消費者製品の全質量に対する質量により定められる。当然のことながら、上記濃度を、各製品に望まれる嗅覚作用に従って適合させてもよい。
【００９３】
本発明のカプセルは、具体的かつ有利には、著量の界面活性剤を含有する消費者製品において安定であることが判明し、より具体的には、ポリイソシアネートの重合を誘発すべくアミンを使用して製造されたカプセルと比較して安定性の向上を示すことが実証された。
【００９４】
ここで、本発明を実施例によりさらに説明する。特許請求の範囲に記載された本発明は、これらの実施例により何ら限定されることを意図するものではないことを認識されたい。
【実施例】
【００９５】
例
注記：
カプセルＡ〜Ｈ、Ｊ、ＫおよびＬは、本発明によるカプセルである。
【００９６】
カプセルＩ、ＭおよびＮは、比較を目的とした本発明の範囲外のものである。
【００９７】
例１
カプセルＡ〜Ｉの製造
マイクロカプセルＡ〜Ｉを、下記成分により製造した：
【表１】
2019524434.tif 000002
【００９８】
【表２】
2019524434.tif 000003
【００９９】
カプセルＡ〜Ｉのカプセル壁を構成するのに使用した可変的な量のポリイソシネートおよび芳香剤を、以下の表３にまとめる：
【表３】
2019524434.tif 000004
【０１００】
マイクロカプセルＡ〜Ｉの製造方法
可変的な量のポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）と可変的な量の香油Ａとを、表１および３に定めた量で混合することにより、油相を調製した。
【０１０１】
アラビアガムを水に溶解させることにより、水相を調製した。この水相に撹拌装置を用いて２３０ｒｐｍで芳香剤／ポリイソシアネートプレミックス油を分散させて、エマルションを調製した。このエマルションのｐＨを測定したところ、６．７であった。温度を７０℃に上げ、７０℃で１時間３０分保持してこれらのカプセルを硬化させた。この時点でカプセルが形成され、これは架橋されて安定であった。この混合物を静置して、室温まで冷却した。
【０１０２】
カプセルＩ（本発明によらない）について、ポリアミン（炭酸グアニジン）を水相に添加し、その後、温度を７０℃に上げた。これにより、界面でこれがポリイソシアネートと反応してポリ尿素を形成することができた。Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１０３】
カプセルのサイズ分布を、光学顕微鏡法および光散乱法（Ｍａｓｔｅｒｓｉｚｅｒ  ３０００，Ｍａｌｖｅｒｎ）により制御した。
【０１０４】
例２
カプセルＪの製造
１．６ｇのポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）を２５．４ｇの香油Ａ（表２に定めた組成物）と混合することにより、油相を調製した。
【０１０５】
０．１ｇのテンサイペクチン（供給元ＣＰ  Ｋｅｌｃｏ）を７２．３６ｇの水に溶解させることにより、水相を調製した。この水相に撹拌装置を用いて２３０ｒｐｍで芳香剤／ポリイソシアネートプレミックス油を分散させて、エマルションを調製した。温度を７０℃に上げ、７０℃で１時間３０分保持してこれらのカプセルを硬化させた。この時点でカプセルが形成され、これは架橋されて安定であった。この混合物を静置して、室温まで冷却した。
【０１０６】
Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１０７】
カプセルのサイズ分布は６４０μｍであり、これを光学顕微鏡法および光散乱法（Ｍａｓｔｅｒｓｉｚｅｒ  ３０００，Ｍａｌｖｅｒｎ）により制御した。
【０１０８】
例３
カプセルＫの製造
２．２ｇのポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）を１９．６ｇの香油Ａ（表２に定めた組成）と混合することにより、油相を調製した。
【０１０９】
１．２ｇの化工デンプン（Ｈｉｃａｐ−１００（登録商標）、供給元Ｉｎｇｒｅｄｉｏｎ  Ｉｎｃ．）を７６．７ｇの水に溶解させることにより、水相を調製した。この水相に撹拌装置を用いて２３０ｒｐｍで芳香剤／ポリイソシアネートプレミックス油を分散させて、エマルションを調製した。温度を７０℃に上げ、７０℃で１時間３０分保持してこれらのカプセルを硬化させた。この時点でカプセルが形成され、これは架橋されて安定であった。この混合物を静置して、室温まで冷却した。
【０１１０】
Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１１１】
このカプセルのサイズ分布は５４０μｍであり、これを光学顕微鏡法および光散乱法（Ｍａｓｔｅｒｓｉｚｅｒ  ３０００，Ｍａｌｖｅｒｎ）により制御した。
【０１１２】
例４
本発明によるカプセルの安定性能
本発明によるカプセルの安定性を、シャワージェルにおいて実験した。使用したモデルとなるシャワージェルベースは、脱イオン水５０％、増粘剤（アクリレート／ベヘネス−２５  メタクリレートコポリマー、Ｌｕｂｒｉｚｏｌより入手可能）５％、界面活性剤（パレス硫酸ナトリウムおよびコカミドプロピルベタイン）４３％、保存剤（安息香酸ナトリウム）０．５％から構成されており、水酸化ナトリウムおよびクエン酸を使用してｐＨ値を調節する。シャワージェルベース中の封入芳香剤濃度は、０．４４％に相当していた。
【０１１３】
カプセルから漏出した芳香剤の量を測定した。
【０１１４】
結果を、表４にまとめる。
【０１１５】
【表４】
2019524434.tif 000005
【０１１６】
これらの結果から、本発明のカプセルが、ポリイソシアネートの濃度、芳香剤の濃度またはカプセルのサイズにかかわらず、シャワージェルベースに適していることが明らかである。
【０１１７】
比較例５
本発明によるカプセル（カプセルＥ）の安定性能およびカプセルＩ（本発明によらない）との比較
カプセルＥ（アミン不使用）および比較カプセルＩ（アミン使用）の安定性を、シャワージェルにおいて比較した。使用したモデルとなるシャワージェルベースは、脱イオン水５０％、増粘剤（アクリレート／ベヘネス−２５  メタクリレートコポリマー、Ｌｕｂｒｉｚｏｌより入手可能）５％、界面活性剤（パレス硫酸ナトリウムおよびコカミドプロピルベタイン）４３％、保存剤（安息香酸ナトリウム）０．５％から構成されており、水酸化ナトリウムおよびクエン酸を使用してｐＨ値を調節する。
【０１１８】
シャワージェルベース中の封入芳香剤濃度は、０．４４％に相当していた。
【０１１９】
カプセルから漏出した芳香剤の量を測定した。
【０１２０】
結果を、表５にまとめる。
【０１２１】
【表５】
2019524434.tif 000006
【０１２２】
これらの安定性データは、プロセス時にアミンを使用しないことによって、高濃縮された界面活性剤媒体に供した際のカプセルの安定性能が顕著に向上することを明示している。
【０１２３】
したがって本発明によって、費用対効果が高いだけでなく時間もかからない最適化された方法が提供される。
【０１２４】
例６
本発明によるカプセル（カプセルＥ）の嗅覚性能およびカプセルＩ（本発明の一部ではない）との比較
以下の組成：脱イオン水５０％、増粘剤（アクリレート／ベヘネス−２５  メタクリレートコポリマー、Ｌｕｂｒｉｚｏｌより入手可能）５％、界面活性剤（パレス硫酸ナトリウムおよびコカミドプロピルベタイン）４３％、保存剤（安息香酸ナトリウム）０．５％を有する配合シャワージェルベースにカプセルを分散させ、水酸化ナトリウムおよびクエン酸を使用してｐＨ値を調節する。
【０１２５】
シャワージェルベース中の封入芳香剤濃度は、０．２０％に相当する。
【０１２６】
評価プロトコル：８名の専門家パネリストによる
１）カプセルを含有する各シャワージェル１ｍｌを、前腕に塗布する。
２）１〜７の等級で香り強度を評価する。
３）数秒間の泡立て工程。１〜７の等級で香り強度を新たに評価する。
【０１２７】
評価等級：（香り強度）：１＝香り・匂いなし；２＝かろうじて検出可能；３＝弱い；４＝中程度；５＝やや強い；６＝強い；７＝非常に強い。
【０１２８】
結果
結果を、図１に示す。
【０１２９】
以下のように結論付けることができる：
１）泡立ち前には、香り強度は、本発明によるカプセルＥの場合よりもカプセルＩ（アミンを使用することにより製造）の場合の方が高い。
２）泡立ち段階後には、カプセルＩおよびＥはどちらも同様の性能を示す。
【０１３０】
結論
これらの結果は、泡立ち前にカプセルＩから多量の芳香剤が漏出したことを意味するため、比較例５に開示された安定性の結果と一致している。
【０１３１】
例７
自由な状態の油＋本発明によるカプセル（カプセルＢ）の嗅覚性能および自由な状態の油のみの場合との比較
評価プロトコル（２０名のパネリスト）：
１）全体的な香り強度および２）シトラス強度をシャワー／バスキャビンにて以下の３段階で評価：
１）（容器から）そのまま。
２）シャワー中→パネリストは、通常量の製品を使用して自身の身体を洗い、泡立ち工程の評価中はシャワーを止める。
３）シャワー後→パネリストは、バスルームまたはシャワーキャビンから１分間出て、その後に戻って最終強度を評価する。
【０１３２】
香り強度およびシトラス強度：標識なしの連続した目盛線で評価した。０＝匂いの知覚不可能な属性、および１０＝所与の属性について非常に強力な強度。
【０１３３】
データ分析：スチューデント検定（α＝０．０５、対応あり）
同一の文字の平均は、有意差なし（α＝０．０５）
エラーバーは、９５％信頼区間を示す。
【０１３４】
使用したモデルとなるシャワージェルベースは、脱イオン水５０％、増粘剤（アクリレート／ベヘネス−２５  メタクリレートコポリマー、Ｌｕｂｒｉｚｏｌより入手可能）５％、界面活性剤（パレス硫酸ナトリウムおよびコカミドプロピルベタイン）４３％、保存剤（安息香酸ナトリウム）０．５％から構成されており、水酸化ナトリウムおよびクエン酸を使用してｐＨ値を調節する。
【０１３５】
サンプルＸ１は、０．５０質量％の自由な状態の油（芳香剤Ａ）のみを含む。一方で本発明によるサンプルＸ２は、０．５０質量％の自由な状態の油と、２％のマイクロカプセルＢ（０．３９％の封入香油）とを含む。
【０１３６】
結果を、図２に示す。
【０１３７】
これらの結果は、容器からそのまま嗅いだ場合、サンプルＸ２は、自由な状態の油のみを含むサンプルＸ１と同等の全体強度およびシトラス強度を有することを明示している。
【０１３８】
しかし、
−  腕で泡立てると、サンプルＸ２は、自由な状態の油のみ（サンプルＸ１）より、シトラスが有意に強い。
−  バス／シャワーキャビンでは、サンプルＸ２は、自由な状態の油のみ（サンプルＸ１）よりも、シトラスおよび全体の香りのどちらも有意により強いままであると知覚される。
【０１３９】
これらの結果から、自由な状態の油のみを含む組成物と比較して、自由な状態の油と本発明によるカプセルとを含む組成物について、より良好な嗅覚性能が得られると結論付けることができる。
【０１４０】
例８
シャワージェルにおける本発明によるカプセル（カプセルＢおよびカプセルＫ）の嗅覚性能
以下の組成：脱イオン水５０％、増粘剤（アクリレート／ベヘネス−２５  メタクリレートコポリマー、Ｌｕｂｒｉｚｏｌより入手可能）５％、界面活性剤（パレス硫酸ナトリウムおよびコカミドプロピルベタイン）４３％、保存剤（安息香酸ナトリウム）０．５％を有する配合シャワージェルベース中にカプセルを分散させ、水酸化ナトリウムおよびクエン酸を使用してｐＨ値を調節する。
【０１４１】
シャワージェルベース中の封入芳香剤濃度は、０．２０％に相当する。
【０１４２】
評価プロトコル：８名の専門家パネリストによる
１）（容器から）そのまま。
２）カプセルを含有する各シャワージェル１ｍｌを、前腕に塗布する。
３）１〜７の等級で香り強度を評価する。
４）数秒間の泡立て工程。１〜７の等級で香り強度を新たに評価する。
【０１４３】
評価等級：（香り強度）：１＝香り・匂いなし；２＝かろうじて検出可能；３＝弱い；４＝中程度；５＝やや強い；６＝強い；７＝非常に強い。
【０１４４】
結果を、図３に示す。
【０１４５】
本発明によるカプセルを用いた場合には、乳化剤の性質にかかわらず良好な嗅覚性能が得られると結論付けることができる。
【０１４６】
例９
キッチンワイプにおける本発明によるカプセルの嗅覚性能
試験プロトコル：
カプセルＢを、標準的な香料入りキッチンワイプに０．１％の供給量で添加した（サンプルＡ）。床用タイルに使用したワイプおよび空気に放出された香り強度を参照（ベンチマーク：標準的なワイプ）と比較し、ワイプ後に５名のパネリストにより評価した。
【０１４７】
結果：
図４に示すように、本発明によるカプセルを含むサンプル（サンプルＡ）によって、標準的な香料入りワイプよりも非常に強力な香り強度（＋＋）が送達される。ワイプ後２時間たっても強度は強力なままであることが分かる。
【０１４８】
例１０
ＡＰデオ（ＡＰ／Ｄｅｏ）におけるカプセルの嗅覚性能
本発明によるカプセルＬの製造
１．２３ｇのポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）を２０．５２ｇの香油Ｂ（表６に定めた組成物）と混合することにより、油相を調製した。
【０１４９】
１．２１ｇのアラビアガム（供給元ＣＰ  Ｋｅｌｃｏ）を７６．６７ｇの水に溶解させることにより、水相を調製した。この水相に、撹拌装置を用いて１０３０ｒｐｍで芳香剤／ポリイソシアネートプレミックス油を分散させることにより、エマルションを調製した。温度を７０℃に上げ、７０℃で１時間３０分保持してこれらのカプセルを硬化させた。この時点でカプセルが形成され、これは架橋されて安定であった。この混合物を静置して、室温まで冷却した。
【０１５０】
Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１５１】
カプセルのサイズ分布は７５マイクロメートルであり、これを光学顕微鏡法および光散乱法（Ｍａｓｔｅｒｓｉｚｅｒ  ３０００，Ｍａｌｖｅｒｎ）により制御した。
【０１５２】
【表６−１】
2019524434.tif 000007
【０１５３】
【表６−２】
2019524434.tif 000008
【０１５４】
比較カプセルＭおよびＮ（本発明によらない）の製造
比較カプセルＭ
２．０５ｇのポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）を、４０．９４ｇの香油Ｂ（表６に定めた組成物）と混合することにより、油相を調製した。
【０１５５】
１．０ｇのアラビアガム（供給元ＣＰ  Ｋｅｌｃｏ）を５４．８ｇの水に溶解させることにより、水相を調製した。この水相に、撹拌装置を用いて７５０ｒｐｍで芳香剤／ポリイソシアネートプレミックス油を分散させて、エマルションを調製した。
【０１５６】
次いでこのエマルションに、０．４３ｇの水に溶解させた０．１６ｇの炭酸グアニジン（供給元：Ｆｌｕｋａ）を添加した。
【０１５７】
温度を８０℃に上げ、８０℃で２時間保持してこれらのカプセルを硬化させた。この時点でカプセルが形成され、これは架橋されて安定であった。この混合物を静置して、室温まで冷却した。
【０１５８】
Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１５９】
カプセルのサイズ分布は７６マイクロメートルであり、これを光学顕微鏡法および光散乱法（Ｍａｓｔｅｒｓｉｚｅｒ  ３０００，Ｍａｌｖｅｒｎ）により制御した。
【０１６０】
比較カプセルＮ
４．９２ｇのポリイソシアネート（キシリレンジイソシアネートのトリメチロールプロパン付加物、Ｔａｋｅｎａｔｅ（登録商標）Ｄ−１１０Ｎ、供給元Ｍｉｔｓｕｉ  Ｃｈｅｍｉｃａｌｓの商標）を３８．６ｇの香油Ｂ（表６に定めた組成物）と混合することにより、油相を調製した。
【０１６１】
０．５３ｇのポリビニルアルコール（Ｍｏｗｉｏｌ（登録商標）１８−８８、供給元Ｆｌｕｋａ）を、５４．３７ｇの水に溶解させることにより、水相を調製した。この水相にロータ／ステータシステムを用いて芳香剤／ポリイソシアネートプレミックス油を分散させてエマルションを調製した。撹拌の時間および速度を調節して、所望のサイズ分布のエマルションを得た。
【０１６２】
このエマルションの調製後、プロセスの終了まで撹拌を撹拌装置により４００ｒｐｍで継続した。
【０１６３】
次いでこのエマルションに、２．３ｇの水に溶解させた０．９ｇの炭酸グアニジン（供給元：Ｆｌｕｋａ）を１時間かけて添加した。
【０１６４】
温度を７０℃に上げ、７０℃で２時間保持してこれらのカプセルを硬化させた。この時点でカプセルが形成され、これらは架橋されて安定であった。この混合物を静置して、室温まで冷却した。
【０１６５】
Ｔａｋｅｎａｔｅ（登録商標）Ｄ−１１０Ｎの封入および使用によりカプセル壁を形成した後に、香油中の未反応ポリイソシアネートの残留レベルは非常に低く、したがって、カプセルの内側コアは、実質的に香油から構成されていた。
【０１６６】
カプセルのサイズ分布は７５マイクロメートルであり、これを光学顕微鏡法および光散乱法（Ｍａｓｔｅｒｓｉｚｅｒ  ３０００，Ｍａｌｖｅｒｎ）により制御した。
【０１６７】
ＡＰロールオン（ＡＰ  Ｒｏｌｌ  ｏｎ）ベースの調製
予め７５℃に温めておいたＢＲＩＪ  ７２（３．２５ｇ，Ｃｒｏｄａ，英国）、ＢＲＩＪ  ７２１（０．７５ｇ，Ｃｒｏｄａ，英国）およびＡＲＬＡＭＯＬ  Ｅ（４．００ｇ，Ｃｒｏｄａ，英国）の混合物を、撹拌下に水（５１．００ｇ）に添加した。この混合物を１０分間均質化させ、次いで撹拌下に室温まで冷却した。ＬＯＣＲＯＮ  Ｌ（４０．００ｇ，Ｃｌａｒｉａｎｔ，スイス国）を４５℃でゆっくり添加し、この混合物を室温で保持した（表７参照）。本発明のカプセル分散液（約２．６０ｇ）を３５℃で添加することにより、白色の液体エマルションを得た。このエマルションは、０．２４％の封入香油と同一の濃度を有しており、これは、カプセルＬについては１．１７％のカプセルスラリーに相当し、カプセルＭについては０．５９％のカプセルスラリーに相当し、中性の匂い（ｐＨ４．２〜４．７）および１０００〜２５００ｃＰｓの粘度（製造の２４〜４８時間後に測定）を有していた。
【０１６８】
【表７】
2019524434.tif 000009
【０１６９】
Ａ  −  安定性能
カプセルＬおよび比較カプセルＭの安定性能を、ＡＰロールオンベース中で（サンプルを３℃および４５℃で貯蔵）３ヶ月後に評価した。この評価を、２０名のパネリストにより、フレグランスブロッター上で擦る前および擦った後に行った。
【０１７０】
評価等級：（香り強度）：１＝香り・匂いなし；２＝かろうじて検出可能；３＝弱い；４＝中程度；５＝やや強い；６＝強い；７＝非常に強い。
【０１７１】
結果を、図５に示す。
【０１７２】
カプセルＬ中にアミンが存在しないことは、Ａｐデオロールオンにおける本発明によるマイクロカプセルの嗅覚性能に影響を及ぼさないと結論付けることができる。
【０１７３】
Ｂ  −  嗅覚性能
ＡＰデオロールベース（表７参照）の塗布使用時の嗅覚香り強度を、カプセルＬおよび比較カプセルＮについて評価した。この評価を、２４名のパネリストにより、塗布後の種々の時間で行った。
【０１７４】
評価等級：（香り強度）：１＝香り・匂いなし；２＝かろうじて検出可能；３＝弱い；４＝中程度；５＝やや強い；６＝強い；７＝非常に強い。
【０１７５】
結果を、図６に示す。
【０１７６】
カプセルＬ中にアミンが存在しないことは、Ａｐデオベースにおける本発明によるマイクロカプセルの嗅覚性能に影響を及ぼさないと結論付けることができる。
【図１】
2019524434.tif 000010
【図２】
2019524434.tif 000011
【図３】
2019524434.tif 000012
【図４】
2019524434.tif 000013
【図５】
2019524434.tif 000014
【図６】
2019524434.tif 000015
【国際調査報告】
2019524434.tif 000016
2019524434.tif 000017
2019524434.tif 000018
2019524434.tif 000019